(57)【要約】 【課題】    頭部と頸部を好みの形態で支持でき、しかも頸部を広域に亘って安定して支持し、脊椎の自然な姿勢の保持を増進して快適な睡眠を得られるとともに、肩部の保温作用を向上し、しかも病気や怪我をした人のうつ伏せ寝用またはリハビリ用の介助具に好適な枕を提供すること。【解決手段】  頭部１２を載置可能な主枕２と、頸部１３を載置可能な補助枕３とを備える。  前記補助枕３に主枕２よりも通気性の良好な詰物８を充填した枕である。  前記主枕２の一端部に補助枕３の一側面の中間部を揺動自在に連結する。  前記補助枕３を前記連結部を中心に反転自在に設ける。  前記補助枕３を主枕２の表裏両面の一側に重合して配置可能にすること。【選択図】図１
2010088548.tif 000002
【特許請求の範囲】
【請求項１】
頭部を載置可能な主枕と、頸部を載置可能な補助枕とを備え、該補助枕に主枕よりも通気性の良好な詰物を充填した枕において、前記主枕の一端部に補助枕の一側面の中間部を揺動自在に連結し、該補助枕を前記連結部を中心に反転自在に設け、前記補助枕を主枕の表裏両面の一側に重合して配置可能にしたことを特徴とする枕。
【請求項２】
前記補助枕に頸部を載置した際、前記頸部を中心に補助枕の一側または両側を起立可能にした請求項１記載の枕。
【請求項３】
前記起立した補助枕の一側または両側部を介し、頸部周面または肩口を支持または抱持可能にした請求項１記載の枕。
【請求項４】
前記補助枕を平面略Ｖ字形状に形成した請求項１記載の枕。
【請求項５】
使用者の顔面を押し当て可能な枕の中間部に通気孔を形成し、該通気孔に使用者の口と鼻を位置付け、前記通気孔の開口部周辺に使用者の額と顎を押し当て可能にし、かつ一端に使用者の胸部を載置可能な胴体部を突設した枕において、前記枕の内部に柔軟な詰物を収納して膨潤成形し、前記胴体部を抱持可能な筒状に形成したことを特徴とする枕。
【発明の詳細な説明】
【技術分野】
【０００１】
本発明は、頭部と頸部を好みの形態で支持でき、しかも頸部を広域に亘って安定して支持し、脊椎の自然な姿勢の保持を増進して快適な睡眠を得られるとともに、肩部の保温作用を向上し、しかも病気や怪我をした人のうつ伏せ寝用またはリハビリ用の介助具に好適な枕に関する。
【背景技術】
【０００２】
快適な睡眠を得られる枕の一般的な条件として、頭部と頸部を優しく支持し、その支持高さを頭部より頸部を若干高くし、脊椎の自然な姿勢を保ち、脊椎に負担が掛からないようにすることが望ましいとされている。
このような要望に応じられる枕として、中央に頭部を収容する凹部を設け、枕本体の一辺に脊椎当て用の略三角形状の突出部を設け、凹部と突出部によって首から背中まで支え、脊椎を自然の状態に保ち、脊椎への負担を軽減するようにしたものがある（例えば、特許文献１参照）。
【０００３】
しかし、前記枕は、突出部による脊椎の支持が頸部の背部の一箇所に限られ、その支持域が狭小で頸部を安定して支持することできず、脊椎の負担軽減効果が概して低く、十分な快眠効果を得られない上に、凹部と突出部によって首から背中まで支えるため、大形かつ異形になって高価になる等の問題があった。
【０００４】
このような問題を解決するものとして、後頭部支持部の両側に側頭部支持部を設け、それらの下側縁に楕円形断面の頸椎支持部を設け、頸椎を優しく支持し頭部をしっかり支持し、仰向き寝や横向き寝に応じられるとともに、頸椎支持部を平面上山形に形成し、仰向き寝から横向き寝に変わった際、頸椎支持部によって肩口を支持し、その保温性や吸汗性を図るようにしたものがある（例えば、特許文献２参照）。
【０００５】
しかし、前記枕は、後頭部支持部および両側頭部支持部と一体の軸状の頸椎支持部に頸部を載せて支持するため、脊椎の支持が頸部の背部に限られ、その支持域が狭小で頸部を安定して支持することできず、脊椎の負担軽減効果が概して低く、十分な快眠効果を得られない上に、後頭部支持部と両側頭部支持部と頸椎支持部とを一体に構成しているため、大形かつ大重量で、高価でかつ取り扱い辛いという問題があった。
【０００６】
更に、前記問題を解決するものとして、半円形断面の頭部支持部と、円形断面の頸部支持部とを線接触状態に連結し、頸部支持部を頭部支持部よりも高く形成し、頭部から頸部を支持するようにしたものがある（例えば、特許文献３参照）。
【０００７】
しかし、前記枕は、頸部支持部に頸部を載せて支持するため、前述と同様に脊椎の支持が頸部の背部に限られ、その支持域が狭小で頸部を安定して支持することできず、脊椎の負担軽減効果が概して低く、十分な快眠効果を得られない上に、頭部支持部と頸部支持部の底面が凸状の曲面に形成されているため、安定性が悪く、使用時に頭部や頸部が移動し易く、安定した睡眠状態を得られないという問題があった。
【０００８】
ところで、人の睡眠姿勢は生活習慣や身体条件、疲労の大小によって様々で、仰向け寝や横向き寝、うつ伏せ寝、更にこれらの複合等がある。
このうち、うつ伏せ寝は健常者に限らず、例えば病気や怪我をした人が余儀無くされる場合があり、その場合は口や鼻が枕に圧迫されるため、通常の枕で代用することはできない。  
このようなうつ伏せ寝用の枕として、胸部を支持する三日月形の支持面と、額を支持する額支持面とを有し、これらの支持面の間に凹状の顔面周囲空間部を設けた、ウレタンマット製のものがある（例えば、特許文献４参照）。
【０００９】
しかし、前記枕は、ウレタンマットを成形または加工して構成されるため、型代が高価で製作が難しく、また使用時に顔面周囲空間部の通気を確保する構造上、当該部を一定の硬度に形成するため、使用時に当該部周縁に顔面を押し当てると感触が悪く、押圧痕や痛みを生じて長時間の使用に堪えられない、という問題があった。
【００１０】
【特許文献１】登録実用新案第３０４０５２２号公報
【特許文献２】特開２００１−１０４１２７号公報
【特許文献３】特開２００４−２１５６９９号公報
【特許文献４】特開２００６−５５３８３号公報
【発明の開示】
【発明が解決しようとする課題】
【００１１】
本発明はこのような問題を解決し、頭部と頸部を好みの形態で支持でき、しかも頸部を広域に亘って安定して支持し、脊椎の自然な姿勢の保持を増進して快適な睡眠を得られるとともに、肩部の保温作用を向上し、しかも病気や怪我をした人のうつ伏せ寝用またはリハビリ用の介助具に好適な枕を提供することを目的とする。
【課題を解決するための手段】
【００１２】
請求項１の発明は、頭部を載置可能な主枕と、頸部を載置可能な補助枕とを備え、該補助枕に主枕よりも通気性の良好な詰物を充填した枕において、前記主枕の一端部に補助枕の一側面の中間部を揺動自在に連結し、該補助枕を前記連結部を中心に反転自在に設け、前記補助枕を主枕の表裏両面の一側に重合して配置可能にし、補助枕を主枕の表裏両面に重合した二様の使用形態を得られ、使用者の多様な使用に応じられるとともに、主枕の一端部に補助枕の一側面の中間部を揺動自在に連結することによって、補助枕を主枕に一体に形成したものに比べ、補助枕の変位の自由度を得られ、また補助枕を主枕に重合することによって、頸部の支持高さを頭部よりも高くでき、脊椎の自然の姿勢を保持して脊椎の負担を軽減し、快適な睡眠を得られるようにしている。
【００１３】
請求項２の発明は、前記補助枕に頸部を載置した際、前記頸部を中心に補助枕の一側または両側を起立可能にし、この起立部による頸部または肩口の支持若しくは支持域並びに支持形態を変えられるようにしている。
請求項３の発明は、前記起立した補助枕の一側または両側部を介し、頸部周面または肩口を支持または抱持可能にし、頸部の一箇所だけを支持していた従来の枕に比べ、支持域を広げることによって頸部を確実かつ安定して支持し、脊椎の自然の姿勢の保持を増進し、脊椎の負担軽減を向上して、快適な睡眠を得られるとともに、肩口を抱持可能にして、肩口の保温を促し肩口の冷えを防止するようにしている。
【００１４】
請求項４の発明は、補助枕を平面略Ｖ字形状に形成し、これを連結部を中心に反転することによって、主枕の表裏両面において、略Ｖ字形状とその点対称の略逆Ｖ字形状の補助枕の形態を得られ、略Ｖ字形状の場合は、起立した補助枕の両側部によって頸部の両側周面を支持し、頸部を広域かつ安定して支持し、脊椎の自然な姿勢の保持を増進して、脊椎の負担軽減を向上し、快適な睡眠を得られるようにしている。
一方、略逆Ｖ字形状の場合は、起立した補助枕の両側部によって頸部を支持するとともに、両肩口を抱持するように支持して、その保温作用を向上し、肩口の冷えを防止するようにしている。
【００１５】
請求項５の発明は、使用者の顔面を押し当て可能な枕の中間部に通気孔を形成し、該通気孔に使用者の口と鼻を位置付け、前記通気孔の開口部周辺に使用者の額と顎を押し当て可能にし、かつ一端に使用者の胸部を載置可能な胴体部を突設した枕において、前記枕の内部に柔軟な詰物を収納して膨潤成形し、前記胴体部を抱持可能な筒状に形成し、従来の型成形のものに比べ、型成形によらず、したがって高価な型代を要することなく、容易かつ安価に製作し得る。
しかも、枕の内部に柔軟な詰物を収納して膨潤成形し、該胴体部を抱持可能な筒状に形成し、従来の型成形のものに比べ、胴体部に載置した胸部の感触のソフト化を図れるとともに、両腕で胴体部を抱持可能にすることによって、両腕の所在が安定し、また胸部と胴体部との密着を図ることで精神的に癒され、快適な睡眠を促される。
したがって、うつ伏せ状態での療養やその状態での睡眠を余儀無くされる、病気や怪我をした人の睡眠用枕または療養若しくはリハビリ用の介助具に好適である。
【発明の効果】
【００１６】
請求項１の発明は、主枕の一端部に補助枕の一側面の中間部を揺動自在に連結し、該補助枕を前記連結部を中心に反転自在に設け、前記補助枕を主枕の表裏両面の一側に重合して配置可能にしたから、補助枕を主枕の表裏両面に重合した二様の使用形態を得られ、使用者の多様な使用に応じられるとともに、主枕の一端部に補助枕の一側面の中間部を揺動自在に連結することによって、補助枕を主枕に一体に形成したものに比べ、補助枕の変位の自由度を得られ、また補助枕を主枕に重合することによって、頸部の支持高さを頭部よりも高くでき、脊椎の自然の姿勢を保持して脊椎の負担を軽減し、快適な睡眠を得られる効果がある。
【００１７】
請求項２の発明は、補助枕に頸部を載置した際、前記頸部を中心に補助枕の一側または両側を起立可能にしたから、この起立部による頸部または肩口の支持若しくは支持域並びに支持形態を変えることができる。
請求項３の発明は、前記起立した補助枕の一側または両側部を介し、頸部周面または肩口を支持または抱持可能にしたから、頸部の一箇所だけを支持していた従来の枕に比べ、頸部を広域に支持し、頸部を確実かつ安定して支持でき、脊椎の自然の姿勢の保持を増進し、脊椎の負担軽減を向上して、快適な睡眠を得られるとともに、肩口を抱持可能にし、肩口の保温を促し肩口の冷えを防止することができる。
【００１８】
請求項４の発明は、補助枕を平面略Ｖ字形状に形成したから、これを連結部を中心に反転することによって、主枕の表裏両面において、略Ｖ字形状とその点対称の略逆Ｖ字形状の補助枕の形態を得られ、略Ｖ字形状の場合は、起立した補助枕の両側部によって頸部の両側周面を支持し、頸部を広域かつ安定して支持し、脊椎の自然な姿勢の保持を増進して、脊椎の負担軽減を向上し、快適な睡眠を得られる効果がある。
一方、略逆Ｖ字形状の場合は、起立した補助枕の両側部によって頸部を支持するとともに、両肩口を抱持するように支持でき、その保温作用を向上し、肩口の冷えを防止することができる。
【００１９】
請求項５の発明は、枕の内部に柔軟な詰物を収納して膨潤成形し、胴体部を抱持可能な筒状に形成したから、従来の型成形のものに比べ、型成形によらず、したがって高価な型代を要することなく、容易かつ安価に製作することができる。
しかも、枕の内部に柔軟な詰物を収納して膨潤成形し、該胴体部を抱持可能な筒状に形成したから、従来の型成形のものに比べ、胴体部に載置した胸部の感触のソフト化を図れ、また両腕で胴体部を抱持可能にすることによって、両腕の所在が安定し、胸部と胴体部との密着を図れることで精神的に癒され、快適な睡眠を促すことができる。
したがって、うつ伏せ状態での療養やその状態での睡眠を余儀無くされる、病気や怪我をした人の睡眠用枕または療養若しくはリハビリ用の介助具に好適な効果がある。
【発明を実施するための最良の形態】
【００２０】
以下、本発明を図示の実施形態について説明すると、図１乃至図９において１は枕で、該枕１は主枕２と、主枕２より小形の補助枕３とを揺動自在に連結して構成している。
このうち、主枕２は横長矩形に形成され、内部にポリエステル綿、アクリル綿、スポンジ片、綿等の柔軟な詰物４が充填され、その表裏両面を化学繊維製の布地５で被覆し、その周囲の接合部を縫着している。
【００２１】
図中、６は主枕２の中央部に設けた仕切片（図示略）の凹状の縫着部、７は主枕２の一側端部の中間位置に取り付けたファスナーで、該ファスナー７を介して補助枕３を揺動自在に連結している。
【００２２】
前記補助枕３は図１および図３のように、平面が緩やかな略Ｖ字若しくは略く字形状に形成され、その長さは主枕２の長辺と略同長に形成され、その幅を主枕２の短辺の長さの略１／２に形成している。
前記補助枕３の内部に平滑な合成樹脂製のパイプ、ビーズ等の通気性および流動性に優れる詰物８が充填され、その表裏両面を通気性の良好な化学繊維製のメッシュ地９で被覆し、その周囲の接合部を縫着している。
【００２３】
前記補助枕３の裏地側の中間部にファスナー１０が取り付けられ、該ファスナー１０を前記ファスナー７に装着して、補助枕３の裏面を主枕２に揺動自在に連結している。
図中、１１は枕の使用者、１２は前記使用者１１の頭部、１３は前記使用者１１の頸部、１４は使用者１１の肩部、１５は枕を敷設する敷布団または畳等の被敷設体である。
【００２４】
なお、この実施形態では主枕２と補助枕３との連結手段として、ファスナー７，１０を用いているが、ファスナー７，１０の代わりに、例えば縫着、複数のボタンまたはホックを用いることも可能である。
この場合、連結手段は着脱可能性は問わないが、着脱可能であれば、主枕２と補助枕３とを分離して使用し、また洗濯し得る利点がある。
【００２５】
このように構成した枕は主枕２と補助枕３とからなり、このうち主枕２は横長矩形で内部に柔軟な詰物４を充填して構成され、その長辺側の一端の中間部にファスナー７を取り付けて製作する。
また、補助枕３は主枕２よりも小形で、平面形状を緩やかな略Ｖ字形状若しくは略く字形状に形成し、その長さを主枕２の長辺と略同長に形成し、その幅を主枕２の短辺の長さの略１／２に形成する。
【００２６】
そして、補助枕３の内部に通気性および流動性に優れる詰物８を充填し、その表裏両面を通気性の良好な化学繊維製のメッシュ地９で被覆し、その周囲の接合部を縫着するとともに、補助枕３の裏地側の中間部にファスナー１０を取り付けて製作する。
このように主枕２と補助枕３の構成は簡単で、別々に製作し得るから、これを容易かつ安価に製作することができ、しかもファスナー７，１０を取り外して別々に保管し得るから、その取り扱いが至便である。
【００２７】
このように製作した主枕２と補助枕３とは、使用に際しファスナー７，１０を接続して
両者を連結する。
この連結状況は図１のように、主枕２の一端部に補助枕３の裏面が重合して斜状に取り付けられ、これらはファスナー７，１０の部分を除いて、互いに揺動自在に連結される。
【００２８】
したがって、例えば前記ファスナー７，１０部を中心に主枕２を反転し、主枕２の一端部に補助枕３の向きを変えれば、つまり略逆Ｖ字形状にして重合すれば、斜状に配置することができる。この状況は図６のようである。
【００２９】
すなわち、この実施形態の枕１は、頸部１３の支持の安定性を増進し得る図１乃至図５に示す第１の使用形態と、頸部１３の支持と肩部１４の支持と保温を図れる図６乃至図９に示す第２の使用形態を選択し得る。
この場合、第１および第２の使用形態の選択は、主枕２を反転し、補助枕３の向きを変えるだけで良く、その操作は頗る簡単でファスナー７，１０の着脱操作も要しない。
【００３０】
この実施形態の枕１の使用に際し、例えば枕１を仰向け寝用に使用する第１の使用形態を基に説明すると、前記連結した主枕２と補助枕３とを敷布団や畳等の被敷設体１５上に敷設し、主枕２上に使用者１１の頭部１２を載せ、補助枕３上に頸部１３の背部を載せる  この状況は図３のようである。
【００３１】
こうして、主枕２が頭部１２の後頭部に圧迫され、また補助枕３が頸部１３の背部に圧迫され、これらが共に押し縮められると、頸部１３の背部が優しく支持され、また圧迫後の高さは補助枕３の重合分、頸部１３の背部が後頭部よりも高くなり、脊椎の自然の姿勢が保持され、その負担を軽減して快適な睡眠を促す。この状況は図５のようである。
【００３２】
その際、頸部１３の圧迫によって補助枕３の詰物８が外側へ移動し、前記圧迫部が沈み込む一方、補助枕３の両側部がその分膨らんで起立し、該両側部が頸部１３の周面に優しく接触して支持する。この場合、詰物８が流動性に富むビーズ等で構成され速やかに移動するため、前記補助枕３の起立を促す。
【００３３】
したがって、補助枕３の変位が主枕２から独立し、かつその自由度が得られる分、従来の枕に比べ頸部１３を広域かつ確実に支持し得るから、頸部１３の安定性が向上し、脊椎の自然な姿勢保持を促して快適な睡眠を得られる。
【００３４】
この場合、補助枕３は通気性を有するメッシュ地９で被覆され、内部の詰物８が不規則に位置して通気性を促すから、頸部１３周辺の通気性が保持され、また保温性も得られて快適な睡眠を促す。
【００３５】
一方、第２の使用形態では、補助枕３が第１の使用形態の略Ｖ字形状と点対称の略逆Ｖ字形状に配置され、補助枕３の中央部、つまり頸部１３の載置部が主枕２の内側へ突出して重合しているから、使用者１１はその分、頭部１２を主枕２の奥部へ移動し、第１の使用形態に比べ、頸部１３を主枕２側へ移動して補助枕３上に載せる。
この状況は図７のようで、補助枕３の外側端部に使用者１１の肩口が載り、肩口が優しく支持される。
【００３６】
この場合、頸部１３の背部が補助枕３に優しく支持され、また頸部１３の圧迫によって補助枕３の詰物８が外側へ移動し、前記圧迫部が沈み込む一方、補助枕３の両側部がその分膨らんで起立し、該両側部が頸部１３の周面に優しく接触して支持することは、第１の使用形態と同様である。
【００３７】
また、第２の使用形態では、補助枕３の両側部が膨らんで起立し、該両側部が両肩口に優しく接触して抱き込み、その癒し作用を奏するから、快適な睡眠を促すとともに、肩口の冷えを防止し、所定の保温効果を得られる。
この場合、補助枕３の変位が主枕２から独立し、かつその自由度が得られる分、従来の枕に比べ肩口を確実かつ十分に抱き込むから、肩口の冷えを防止し、その保温効果を増進する。
【００３８】
なお、前記第１および第２の使用形態において、使用者１１が仰向き寝から横向き寝へ寝返りした場合、または最初から横向き寝した場合、頭部１２と主枕２との接触位置、および頸部１３と補助枕３との接触位置は前述の位置と変わるが、主枕２と補助枕３との高さ関係、つまり頸部１３の高さが頭部１２よりも高い関係は維持されるから、脊椎の自然の姿勢が保持され、その負担を軽減して快適な睡眠を促す。
【００３９】
そして、前記のように就眠姿勢が変化すると、頸部１３の圧迫によって補助枕３の当該部の詰物８が外側へ移動し、前記圧迫部が沈み込む一方、補助枕３の両側部がその分膨らんで起立し、該両側部が頸部１３の側面に優しく接触して支持する。
この場合、詰物８が流動性に富むビ−ズ等で構成され速やかに移動するため、前記補助枕３の起立を促す。
【００４０】
また、第２の使用形態では前記起立した補助枕３の両側部が胸部と背中の各上部に優しく接触して抱き込み、癒しの効果を奏して快適な睡眠を促すとともに、当該部の保温を促す。このよう当該部を抱き込んでも、補助枕３の通気性によって快適性を損なうことはない。
【００４１】
図１０乃至図１６は本発明の他の実施形態を示し、前述の実施形態と対応する構成部分に同一の符号を用いている。
この実施形態は、健常者や病気または怪我をした人の睡眠用または介助具に好適な、うつ伏せ寝用枕１６を示している。
【００４２】
前記枕１６は平面略逆Ｌ字形状に形成され、その中間部に通気孔１７を形成し、かつ一側に幅広で太めの胴体部１８を突設していて、その表裏両面を布地５で被覆し、周囲の接合部を縫着するとともに、その内部に三つの中袋１９〜２１を収納している。  
図中、２２は胴体部１８の側面の布地５に設けファスナーで、枕１６の内部を開閉可能にしている。
【００４３】
前記中袋１９〜２１は、図１０（ｂ）のように互いに異形に形成され、このうち中袋１９は略円筒状に形成され、また中袋２０は略Ｃ字形状に形成され、それらの表裏両面を布地２３，２４で被覆し、周囲の接合部を縫着するとともに、その内部に柔軟なポリエステル綿、アクリル綿等の詰物３３，２５を充填している。
【００４４】
更に、中袋２１は略楕円形状に形成され、その表裏両面を通気性を有するメッシュ地２６で被覆し、周囲の接合部を縫着するとともに、その内部に平滑な合成樹脂製のビーズ等の通気性を有する詰物２７を充填している。
前記通気孔１７の内面と枕１６の表裏両面に亘って、通気性を有するメッシュ地の帯片２８を配置し、該帯片２８を介し通気孔１７と詰物２７と外気との間の通気を可能にしている。
【００４５】
この他、図中、２９，３０は使用者１１の鼻と口で、通気孔１７の上側開口部に位置し、３１，３２は使用者１１の額と顎で、通気孔１７の上側開口部の周縁部に押し当てている。
【００４６】
このように構成した実施形態のうつ伏せ用枕１６は、略Ｌ字形状の布地５，５の接合部を縫着し、その胴体部１８の側周面の接合部にファスナー２２を取り付け、また中間部に通気孔１７を刳り抜き、該通気孔１７の一側にメッシュ地の帯片２８を環状に縫着し、前記縫着した布地５，５の内部に三つの中袋１９〜２１を収納する。
【００４７】
前記中袋１９〜２１は、布地２３，２４およびメッシュ地２６を縫着して袋状に製作し、その内部にポリエステル綿等の詰物３３，２５またはビーズ等の詰物２７を充填して、図１５（ｂ）のように膨潤形成し、これらをファスナー２２の開口部から、前記布地５，５の内部に収納する。
【００４８】
こうして製作したうつ伏せ用枕１６は図１０（ａ）のように、略Ｌ字形状に膨潤形成され、内部に収納した中袋１９〜２１によって、布団のような柔軟性と質感を有し、全体的に手造り様のソフト感を有している。
したがって、従来のこの種の枕のような型成形によらず、高価な型代を要することなく、容易かつ安価に製作することができる。
【００４９】
前記うつ伏せ用枕１６を使用する場合は、該枕１６を敷布団または畳等の被敷設体１５上に配置し、この枕１６上に使用者１１がうつ伏せ状態で横臥し、胴体部１８上に胸部を載せ、顔面を前記枕１６に押し当てる。
その際、通気孔１７の上側開口部に鼻２９と口３０を位置付け、通気孔１７の上側開口部の周辺に額３１と顎３２を押し当て、また両腕で胴体部１８を抱き込む。この状況は図１５，１６のようである。
【００５０】
このようにすると、使用者１１の呼吸は通気孔１７によって維持され、該通気孔１７は通気性を有する帯地２８および詰物２７を介して外気に連通し、所要の空気が供給されている。
また、通気孔１７の上側開口部周辺は柔軟で、当該部に額３１と顎３２とを押し当てているから、額３１や顎３２の感触はソフトで負担が掛からず、押圧痕を生ずることもない
【００５１】
しかも、柔軟な胴体部１８上に胸部を載せているから、胸部の感触はソフトで負担が掛からず、また使用者１１の体重の一部を胴体部１８で支持することによって、うつ伏せ姿勢の負担を軽減し、うつ伏せ状態を長時間に亘り安定して行なえる。
【００５２】
更に、両腕で胴体部１８を抱き込むことによって、両腕の所在が安定し、また胸部と胴体部１８との密着を図れることによって精神的に癒され、快適な睡眠を促される。
したがって、うつ伏せ状態での療養やその状態での睡眠を余儀無くされる、病気や怪我をした人の睡眠用枕または療養若しくはリハビリ用の介助具に好適である。
【産業上の利用可能性】
【００５３】
このように本発明の枕は、頭部と頸部を好みの形態で支持でき、しかも頸部を広域に亘って安定して支持し、脊椎の自然な姿勢の保持を増進して快適な睡眠を得られるとともに、肩部の保温作用を向上できるから、快眠用枕または病気や怪我をした人のうつ伏せ寝用またはリハビリ用の介助具に好適である。
【図面の簡単な説明】
【００５４】
【図１】本発明の実施形態を示す斜視図で、主枕に対し補助枕をＶ字形状に重合して配置している。
【図２】主枕と補助枕をファスナーで連結している状態を示す斜視図である。
【図３】本発明の第１の使用形態による使用状態を示す平面図である。
【図４】図３のＡ−Ａ線に沿う断面図で、９０°回転して図示している。
【図５】本発明の第１の使用形態による使用状態を示す断面図である。
【００５５】
【図６】本発明の第２の使用形態を示す斜視図で、補助枕を反転し、これを略逆Ｖ字形状にして主枕に重合配置している。
【図７】本発明の第２の使用形態による使用状態を示す平面図である。
【図８】図７のＢ−Ｂ線に沿う断面図で、９０°回転して図示している。
【図９】本発明の第２の使用形態による使用状態を示す断面図である。
【図１０】本発明をうつ伏せ寝用枕に適用した他の実施形態を示し、同図（ａ）はその斜視図を示し、同図（ｂ）は前記枕に収納した三個の中袋を示す斜視図である。
【００５６】
【図１１】図１０のうつ伏せ寝用枕の正面図である。
【図１２】図１１の右側面図である。
【図１３】図１１のＣ−Ｃ線に沿う断面図である
【図１４】図１２のＤ−Ｄ線に沿う断面図である
【図１５】前記うつ伏せ寝用枕の使用状態を示す平面図である。
【図１６】前記うつ伏せ寝用枕の使用状態を示す断面図である。
【符号の説明】
【００５７】
１        枕
２        主枕
３        補助枕
４，８    詰物
１１      使用者
【００５８】
１２      頭部
１３      頸部
１４      肩部
１６      うつ伏せ寝用枕
１７      通気孔
【００５９】
１８      胴体部
２５      詰物
２７      詰物
２９      鼻
【００６０】
３０      口
３１      額
３２      顎
３３      詰物
【図１】
2010088548.tif 000003
【図２】
2010088548.tif 000004
【図３】
2010088548.tif 000005
【図４】
2010088548.tif 000006
【図５】
2010088548.tif 000007
【図６】
2010088548.tif 000008
【図７】
2010088548.tif 000009
【図８】
2010088548.tif 000010
【図９】
2010088548.tif 000011
【図１０】
2010088548.tif 000012
【図１１】
2010088548.tif 000013
【図１２】
2010088548.tif 000014
【図１３】
2010088548.tif 000015
【図１４】
2010088548.tif 000016
【図１５】
2010088548.tif 000017
【図１６】
2010088548.tif 000018